(57)【特許請求の範囲】
【請求項１】
少なくとも電源投入状態、情報記録媒体への電源供給状態及び情報記録媒体との交信状態からなる３つの動作を行う情報記録媒体処理装置において、異なる色を発光する第１及び第２のＬＥＤを含み前記３つの動作から選ばれる２つの動作を表示する多色発光表示素子と、残る１つの動作状態を前記多色発光表示素子が発光する色と異なる色で表示する単色発光表示素子とを備え、
前記電源投入後に前記第１のＬＥＤを点灯させ、その状態で前記情報記録媒体への電源供給後に前記第１のＬＥＤを消灯させて第２のＬＥＤを点灯させ、前記情報記録媒体への電源供給状が絶たれた後に前記第２のＬＥＤを消灯させて前記第１のＬＥＤを点灯させる信号、前記情報記録媒体への電源供給後に前記第１のＬＥＤを点灯させ、その状態で前記情報記録媒体との交信を始めて後に前記第１のＬＥＤを消灯させて第２のＬＥＤを点灯させ、前記交信が終った後に前記第２のＬＥＤを消灯させて第１のＬＥＤを点灯させる信号、又は前記電源投入後に前記第１のＬＥＤを点灯させ、その状態で前記情報記録媒体との交信を始めて後に前記第１のＬＥＤを消灯させて第２のＬＥＤを点灯させ、前記情報記録媒体との交信が終わった後に前記第２のＬＥＤを消灯させて前記第１のＬＥＤを点灯させる信号のいずれかの信号を生成し、その生成した信号で前記多色発光表示素子を駆動する駆動回路と、前記情報記録媒体との交信状態、前記情報記録媒体への電源供給状態又は前記電源投入状態の内、前記多色発光表示素子を駆動する駆動回路で扱わなかった状態を示す信号を生成して前記単色発光表示素子を駆動する駆動回路とを備えた情報記録媒体処理装置。
【請求項２】
前記多色発光表示素子を駆動する駆動回路は、第２のＬＥＤを点灯中は、第１のＬＥＤを消灯させることなく継続して点灯させることを特徴する請求項１記載の情報記録媒体処理装置。
【発明の詳細な説明】
【０００１】
【産業上の利用分野】
本発明は、情報記録媒体処理装置に関し、より詳しくは、動作状態の認識が容易な情報記録媒体処理装置に関する。
【０００２】
【従来の技術】
情報記録媒体処理装置の一種であるＩＣカードインターフェースデバイス（以下「ＩＣカードリーダ・ライタ」という。）には、このＩＣカードリーダ・ライタの各種の動作状態を使用者に知らせる表示機能が必要である。
【０００３】
ＩＣカードリーダ・ライタの各種の動作状態とは、
（１）  ＩＣカードリーダ・ライタに電源が投入されているか否か、
（２）  ＩＣカードリーダ・ライタに対して電源供給中であるか否か、
（３）  ＩＣカードとの交信（通信）を実行中であるか否か（アクセス中か否か）等がある。
【０００４】
【発明が解決しようとする課題】
従来のＩＣカードリーダ・ライタにおいては、上述したような各種の動作状態を各々別々の表示素子を用いて行なっているのが実情である。
【０００５】
しかしながら、小型，軽量化を求められるＩＣカードリーダ・ライタにおいては、表示素子の数をなるべく少なくすることがデザイン上の観点からも要請される。
【０００６】
従って、上述した（１）  乃至（３）  の各々の状態を別々の表示素子にて表示することは好ましいものではない。一方、（１）  乃至（３）  の各々の状態を表示することが製品の「仕様」となっている場合、これらのうちのいずれかの状態表示を省略することは許されない。
【０００７】
そこで、本発明は、構成を改良し、表示すべき動作状態の数よりも少ない表示素子を用いてこれらの動作状態を支障なく表示することができ、小型，軽量化及び美観向上を図ることができる情報記録媒体処理装置を提供することを目的とするものである。
【０００８】
【問題を解決するための手段】
請求項１記載の発明は、少なくとも電源投入状態、情報記録媒体への電源供給状態及び情報記録媒体との交信状態からなる３つの動作を行う情報記録媒体処理装置において、異なる色を発光する第１及び第２のＬＥＤを含み前記３つの動作から選ばれる２つの動作を表示する多色発光表示素子と、残る１つの動作状態を前記多色発光表示素子が発光する色と異なる色で表示する単色発光表示素子とを備え、
前記電源投入後に前記第１のＬＥＤを点灯させ、その状態で前記情報記録媒体への電源供給後に前記第１のＬＥＤを消灯させて第２のＬＥＤを点灯させ、前記情報記録媒体への電源供給状が絶たれた後に前記２のＬＥＤを消灯させて前記第１のＬＥＤを点灯させる信号、前記情報記録媒体への電源供給後に前記第１のＬＥＤを点灯させ、その状態で前記情報記録媒体との交信を始めて後に前記第１のＬＥＤを消灯させて第２のＬＥＤを点灯させ、前記交信が終った後に前記第２のＬＥＤを消灯させて第１のＬＥＤを点灯させる信号、又は前記電源投入後に前記第１のＬＥＤを点灯させ、その状態で前記情報記録媒体との交信を始めて後に前記第１のＬＥＤを消灯させて第２のＬＥＤを点灯させ、前記情報記録媒体との交信が終わった後に前記第２のＬＥＤを消灯させて前記第１のＬＥＤを点灯させる信号のいずれかの信号を生成し、その生成した信号で前記多色発光表示素子を駆動する駆動回路と、前記情報記録媒体との交信状態、前記情報記録媒体への電源供給状態又は前記電源投入状態の内、前記多色発光表示素子を駆動する駆動回路で扱わなかった状態を示す信号を生成して前記単色発光表示素子を駆動する駆動回路とを備えた。
【００１０】
請求項２記載の発明は、請求項１記載の発明において、前記多色発光表示素子を駆動する駆動回路は、第２のＬＥＤを点灯中は、第１のＬＥＤを消灯させることなく継続して点灯させる構成とした。
【００１２】
【作用】
以下に上述した情報記録媒体処理装置の作用を説明する。
【００１３】
請求項１記載の情報記録媒体処理装置によれば、少なくとも電源投入状態、情報記録媒体への電源供給状態及び情報記録媒体との交信状態からなる３つの動作を行うに際して、これらの各状態毎に各状態の始まりと終わりが異なることから、これらの中から２つ状態の信号、例えば情報記録媒体への電源供給状態の始まりと終わりの信号及び情報記録媒体との交信状態の始まりと終わりの信号で１つ多色発光表示素子を駆動すると、情報記録媒体への電源供給状態の始まり、情報記録媒体との交信状態の始まり、情報記録媒体との交信状態の終わり、及び情報記録媒体への電源供給状態の終わりの順で多色発光素子を駆動することになるので、各状態の変化点で多色発光素子の発光色が変わるようにすることができので、発光色の時系列的変化で、各時点での動作の進行状況が視覚認識できる。したがって、表示すべき動作状態の数よりも少ない数の表示素子を用いて、これらの動作状態を支障なく認識できるように表示することができ、かつ装置の小型、軽量化及び美観向上を図ることができる。
【００１５】
請求項２記載の情報記録媒体処理装置によれば、前記多色発光表示素子を駆動する駆動回路は、第２のＬＥＤを点灯中は、第１のＬＥＤを消灯させることなく継続して点灯させることにより、第１のＬＥＤと第２のＬＥＤの異なった色が同時に発光するので、この場合も、請求項１記載の情報記録媒体処理装置と同様に、時系列的に動作が視覚認識できる。
【００１７】
【実施例】
図１に示す情報記録媒体処理装置の一種であるＩＣカードリーダ・ライタ１は、下部筐体２上に直方体状の上部筐体３を配置し、上部筐体３の前面にＩＣカードＣ用のスロット４を設けるとともに、このスロット４の両側に緑色及び赤色の２色を発光する２色発光表示素子５と、黄色を発光する単色発光表示素子６とを配置している。
【００１８】
尚、図１中、７は商用電源に接続するための差し込みプラグである。
【００１９】
前記２色発光表示素子５は、図２に示すように緑色を発光する緑色ＬＥＤ５ａと、赤色を発光する赤色ＬＥＤ５ｂとを具備している。
【００２０】
前記単色発光表示素子６は、黄色を発光する黄色ＬＥＤにより構成している。
【００２１】
そして、図２に示すように、２色発光表示素子５の各緑色ＬＥＤ５ａ，赤色ＬＥＤ５ｂのカソード及び単色発光表示素子６のカソードを接地するとともに、緑色ＬＥＤ５ａのアノードにはこのＩＣカードリーダ・ライタ１の電源投入状態を示す電源投入信号を、赤色ＬＥＤ５ｂには情報記録媒体としてのＩＣカードＣへの電源供給状態を示す電源供給信号を図３に示す制御部１０から各々送り、また、単色発光表示素子６のアノードには駆動回路１２によりＩＣカードリーダ・ライタ１とＩＣカードＣとの図４に示すような交信状態を示す交信状態信号を各々供給するようになっている。
【００２２】
駆動回路１２は、ＮＡＮＤゲート１７と第１、第２のＮＯＴゲート１４，１５と抵抗Ｒ１  ，Ｒ２  とにより構成している。
【００２３】
ＩＣカードリーダ・ライタ１とＩＣカードＣとの交信状態は、二通り考えられる。
【００２４】
一つは、図４に示すように、ＩＣカードリーダ・ライタ１の制御部１０から伝送ライン１１を経てＩＣカードＣへ送る送信信号の開始時点ｔ１  からＩＣカードＣからＩＣカードリーダ・ライタ１の制御部１０への応答信号の終了時点ｔ２  までの期間中、単色発光表示素子６を、制御部１０から交信状態信号を送り点灯駆動するものである。
【００２５】
他の一つは、ＩＣカードリーダ・ライタ１のＩＣカードＣとの送受信を行うための伝送ライン１１上の状態を図３に示す駆動回路１２を用いて直接単色発光表示素子６に表示するものである。
【００２６】
この状態を図５に示し、さらに図５で点線で囲んだＡ部の詳細を図６に示す。
【００２７】
図６から明らかなとおり、伝送ライン１１上の状態がローのとき、単色発光表示素子６は点灯し、伝送ライン１１上の状態がハイのとき、単色発光表示素子６は消灯する点滅状態となる。
【００２８】
さらに、ＩＣカードリーダ・ライタ１は、一定の発振周波数で発振する発振回路１６と制御部１０からのクロック制御信号とにより一定周期のクロック信号（ＣＬＫ）をＩＣカードＣに送るクロック用ＮＡＮＤゲート１７と、制御部１０の制御の基にＩＣカードＣに電源電圧Ｖｃｃを供給する電源供給回路１８とを具備している。
【００２９】
次に、前記ＩＣカードリーダ・ライタ１の動作を２色発光表示素子５及び単色発光表示素子６の表示態様を主にし、かつ、図３に示す回路を用いた場合を例にとり、かつ図７を参照して説明する。
【００３０】
ＩＣカードリーダ・ライタ１の図示しない電源スイッチが投入されると、制御部１０は電源投入信号を２色発光表示素子５の緑色ＬＥＤ５ａに送り緑色ＬＥＤ５ａを発光させて電源投入状態であることを使用者に認識させる。
【００３１】
次に、制御部１０の制御の基に電源供給回路１８が前記スロット４に挿入されたＩＣカードＣに電源電圧Ｖｃｃを供給すると、制御部１０は電源供給信号を２色発光表示素子５の緑色ＬＥＤ５ａに送り、緑色ＬＥＤ５ａに送っていた電源投入信号を止める。
【００３２】
これにより、２色発光表示素子５の赤色ＬＥＤ５ｂが点灯し、緑色ＬＥＤ５ａが消灯する。この結果、ＩＣカードリーダ・ライタ１の使用者は赤色ＬＥＤ５ｂの点灯を見てＩＣカードＣへ電源電圧Ｖｃｃを供給していること認識できる。
【００３３】
この状態で、ＩＣカードリーダ・ライタ１の制御部１０からＮＡＮＤゲート１３，伝送ライン１１を経てＩＣカードＣへ送信信号が送出される。この送信信号は、「ロー」で意味ありであるため、信号（電文）が伝送ライン１１上に現れる度に第２のＮＯＴゲート１５を通じて伝送ライン１１上の状態が単色発光表示素子６に伝わり、点滅動作を行う。尚、伝送ライン１１上に信号が無い場合には単色発光表示素子６は黄色に発光し点滅はしない。
【００３４】
この結果、使用者は単色発光表示素子６の点灯を見てＩＣカードリーダ・ライタ１とＩＣカードＣとが交信状態であることを認識できる。
【００３５】
次に、制御部１０の制御によりＩＣカードＣへの電源供給が断たれると、赤色ＬＥＤ５ｂへの電源供給信号も断たれる。そして緑色ＬＥＤ５ａに電源供給信号が送られる。これにより、赤色ＬＥＤ５ｂが消灯し、緑色ＬＥＤ５ａが点灯する。
【００３６】
そして、電源スイッチをオフにすると、電源投入信号も断たれ、緑色ＬＥＤ５ａも消灯する。
【００３７】
このようにして、２色発光表示素子５，単色発光表示素子６が各々点灯，点滅又は消灯するので、ＩＣカードリーダ・ライタ１，ＩＣカードＣの動作状態を２個構成の発光表示素子によりすべて認識することができる。つまり、図７からわかるように、電源投入状態、情報記録媒体への電源供給状態、さらには交信状態の各状態の幅が異なる、言い換えれば各状態の開始と終了の時刻が異なるので、２つの状態を１つの表示素子で表示しても、２つの状態の一方の状態の開始、他方の状態の開始、他方の状態の終了、一方の状態の終了の各変化の度に色が変わって表示されることから、時系列的に動作の進行状態が認識できる。
【００３８】
尚、上述したようなＩＣカードリーダ・ライタ１の電源投入状態，電源供給状態に応じて２色発光表示素子５の緑色ＬＥＤ５ａ，赤色ＬＥＤ５ｂを交互に点灯する場合のほか、緑色ＬＥＤ５ａ，赤色ＬＥＤ５ｂの点灯に各々意味をもたせ、その意味がある場合には、いずれか一方の点灯／消灯に関係なく他方の点灯を継続するようにすることも可能である。
【００３９】
例えば、電源投入状態が継続する期間中、赤色ＬＥＤ５ｂの点灯／消灯に関係なく緑色ＬＥＤ５ａの点灯を継続しておくこともできる。この場合も、緑色ＬＥＤ５ａの点灯（電源投入状態）、緑色ＬＥＤ５ａと赤色ＬＥＤ５ｂの点灯（電源投入状態及び電源供給状態）、緑色ＬＥＤ５ａ及び赤色ＬＥＤ５ｂの消灯（電源投入状態）となるので、時系列的に動作の進行が視覚確認できる。
【００４０】
図８は、上述した２色発光表示素子５の緑色ＬＥＤ５ａ，赤色ＬＥＤ５ｂ及び単色発光表示素子６の点灯駆動回路の構成例を示すものであり、電源投入信号の供給により出力側が「ハイ」になり第１のトランジスタＴＲ１  を介して緑色ＬＥＤ５ａを点灯させるＮＡＮＤゲート２１と、電源供給信号の供給により第２のトランジスタＴＲ２  を介して赤色ＬＥＤ５ａを点灯させるＮＯＴゲート２２と、交信状態信号が供給されると出力側が「ロー」になり単色発光表示素子６を点灯させるＮＯＴゲート２３とを用いて構成したものである。
【００４１】
尚、図８中、Ｒ３  ，Ｒ４  はベースバイアス抵抗、Ｒ５  ，Ｒ６  はエミッタ抵抗、Ｒ７  ，Ｒ８  はコレクタ抵抗、Ｒ９  は単色発光表示素子６の制限抵抗である。
【００４２】
次に、図９を参照して本発明の他の実施例を説明する。
【００４３】
図９は、ＩＣカードリーダ・ライタ１の電源投入状態を単色発光表示素子６により表示し、ＩＣカードＣへの電源供給状態を２色発光表示素子５の緑色ＬＥＤ５ａにより、ＩＣカードＣとの交信状態を赤色ＬＥＤ５ｂにより表示する構成としたものである。
【００４４】
この場合のＩＣカードリーダ・ライタ１，ＩＣカードＣの動作状態と、２色発光表示素子５及び単色発光表示素子６の各表示態様との関係は基本的には上述した場合と同様であるが、ＩＣカードリーダ・ライタ１の電源投入状態を単色発光表示素子６の黄色の発光により認識し、ＩＣカードＣへの電源供給状態を２色発光表示素子５の緑色ＬＥＤ５ａの発光により認識し、ＩＣカードＣとの交信状態を赤色ＬＥＤ５ｂの発光により認識することが相違する点である。
【００４５】
次に、図１０を参照して本発明のさらに他の実施例を説明する。
【００４６】
図１０は、ＩＣカードリーダ・ライタ１の電源投入状態を２色発光表示素子５の緑色ＬＥＤ５ａにより、ＩＣカードＣとの交信状態を赤色ＬＥＤ５ｂにより各々表示し、ＩＣカードＣへの電源供給状態を単色発光表示素子６により表示する構成としたものである。
【００４７】
この場合のＩＣカードリーダ・ライタ１，ＩＣカードＣの動作状態と、２色発光表示素子５及び単色発光表示素子６の各表示態様との関係は基本的には上述した場合と同様であるが、ＩＣカードリーダ・ライタ１の電源投入状態を２色発光表示素子５の緑色ＬＥＤ５ａの発光により認識し、ＩＣカードＣとの交信状態を赤色ＬＥＤ５ｂの発光により認識し、ＩＣカードＣへの電源供給状態を単色発光表示素子６の黄色の発光により認識することが相違する点である。
【００４８】
図９，図１０に示すように構成しても、既述した場合と同様、３つの動作状態を素子としては２個構成の発光素子を用いてすべて表示することができる。
【００４９】
本発明は、上述した実施例のほか、その要旨の範囲内で種々の変形が可能である。
【００５０】
【発明の効果】
請求項１記載の発明によれば、電源投入状態、情報記録媒体への電源供給状態、さらには交信状態の各状態の幅が異なる、言い換えれば各状態の開始と終了の時刻が異なるのを利用して、２つの状態を１つの多色発光表示素子を駆動することによって、２つの状態の一方の状態の開始、他方の状態の開始、他方の状態の終了、一方の状態の終了の各変化の度に色が変わって表示される構成としたことから、１つの素子でも時系列的に動作の進行状態が認識できる効果があり、これによって、表示すべき動作状態の数よりも少ない数の表示素子を用いてこれらの動作状態を支障なく表示することができ、この装置の小型，軽量化及び美観向上を図ることが可能な情報記録媒体処理装置を提供することができる。
【００５２】
請求項２記載の発明によれば、多色発光表示素子を駆動する駆動回路が、第２のＬＥＤを点灯中は、第１のＬＥＤを消灯させることなく継続して点灯させるので、第１のＬＥＤのを点灯させる該当の動作状態を明確に認識しつつ進行状態を確認できる情報記録媒体処理装置を提供することができる。
【図面の簡単な説明】
【図１】本発明の実施例装置の斜視図
【図２】本発明の実施例装置における２色発光表示素子及び単色発光表示素子の接続例を示す回路図
【図３】本発明の実施例装置とＩＣカードとの接続状態及び信号送受系を示す概略構成図
【図４】本発明の実施例装置におけるＩＣカードとの交信状態と単色発光表示素子の動作との関係を示すタイムチャート
【図５】本発明の実施例装置におけるＩＣカードとの交信状態と単色発光表示素子の動作との関係を示す他例のタイムチャート
【図６】図５に示すタイムチャートにおけるＡ部の詳細図
【図７】本発明の実施例装置及びＩＣカードの動作状態と２色発光表示素子及び単色発光表示素子の動作との関係を示すタイムチャート
【図８】本発明の実施例装置における２色発光表示素子及び単色発光表示素子の表示駆動回路を示す回路図
【図９】本発明の実施例装置及びＩＣカードの動作状態と２色発光表示素子及び単色発光表示素子の動作との関係の他例を示すタイムチャート
【図１０】本発明の実施例装置及びＩＣカードの動作状態と２色発光表示素子及び単色発光表示素子の動作との関係のさらに他例をを示すタイムチャート
【符号の説明】
１  ＩＣカードリーダ・ライタ
２  上部筐体
３  下部筐体
４  スロット
５  ２色発光表示素子
５ａ  緑色ＬＥＤ
５ｂ  赤色ＬＥＤ
６  単色発光表示素子
１０  制御部
Ｃ  ＩＣカード
【図１】
0003602559.tif 000002
【図２】
0003602559.tif 000003
【図３】
0003602559.tif 000004
【図４】
0003602559.tif 000005
【図５】
0003602559.tif 000006
【図６】
0003602559.tif 000007
【図７】
0003602559.tif 000008
【図８】
0003602559.tif 000009
【図９】
0003602559.tif 000010
【図１０】
0003602559.tif 000011